Podtech/llm-jp-corpus-v4-ja_patent huggingface dataset:
(57)【要約】      （修正有）【課題】爪切り又は爪削りを行う際に発生する切り爪、削り粉の散乱を防ぐ、爪切り袋を提供する。【解決手段】透明シートを２枚に重ね、八角形状に形成し、その八角形の相対する四面に開口部を設け、残り四面に細長形状の切込みを入れ、その切り込み部分を熱接着し袋状にし、開口部から中へ指先を挿入可能とした。【選択図】図４
0003160484.tif 000002
【実用新案登録請求の範囲】
【請求項１】
透明シートを２枚重ね、八角形状に形成し、図１、その八角形の相対する、四面に開口部を設け、残りの四面を接着し袋状になった、その開口部分から中へ手の指先、又は足の爪先を差し入れ、片方の手に爪切り具を持ち、爪を切り、又は爪切り具に付随するヤスリに持ち換え爪削りを行う、その際に発生する、切り爪や削り粉の散乱を防ぐ、爪切り袋。
【考案の詳細な説明】
【技術分野】
【０００１】  本考案は、手の爪又は足の爪を切り、そして爪削りを行う、その際に発生する切り爪、削り粉の散乱を防ぐ爪切り袋である。
【背景技術】
【０００２】  従来より爪切り具には、切り爪の収納カバー付きの物品はあるが、切り爪と削り粉の散乱を同時に収納が出来る物品は無かった。【０００３】  一方近年、高齢者や身障者等の介護は大きな社会問題になっており、介護人の不足も相まって高齢者や、身障者等の介護に使用すれば、速やかに爪切り、爪削りが行え、あと始末も簡単、又衛生的で、この爪切り袋が開発されれば、社会に大きく貢献することができ、又健常者や子供にも使用することが出来る。
【考案の開示】
【考案が解決しようとする課題】
【０００４】  そこで、この考案の課題は爪切り、又爪削りを行う際に発生する、切り爪、削り粉の散乱を防ぐ、爪切り袋を提供することである。
【課題を解決するための手段】
【０００５】  上記の課題を解決するため、この考案は透明シートの袋状の中で手の爪、又は足の爪をきり、そして爪削りを行う、その際に発生する切り爪、削り粉の散乱を防ぐ、爪切り袋である。
【考案の効果】
【０００６】  以上のように、この考案の爪切り袋は高齢者や身障者等が寝きり、又は、座ったりしたまま、どのような姿勢でも袋状の中で手の爪、又は足の爪を切り、そして爪削りを行い、介護する事ができる。【０００７】  本考案は図１．で示すように、この爪切り袋は透明度の高い軟質樹脂シートを二枚に重ね、八角形状に形成し、相対する四面を開口部として設け、残り四面に細長形状の切り込みを入れ、その切り込み部を熱接着をして袋状にし、又、開口部分をラッパ形状に広げることによって、手の指先、又足の爪先の出し入れが容易にでき、その開口部から袋状の中へ手の指先、又は足の爪先を差し入れ爪切り、又爪削りを行う、その際に発生する切爪と削り粉の散乱を防ぐことができる。【０００８】  この爪切り袋の特徴は、図４で示すように袋状の中が鮮明に見える透明度の高い軟質樹脂シートで袋状に形成し、開口部分はラッパ形状に広げることによって、手の指先、又は足の爪先の出し入れが容易にでき、開口部の四面を自在に使い分け、どのような姿勢でも爪切り、又爪削りを行うことができ、速やかに後始末も簡単にでき、衛生的である。【０００９】  この爪切り袋の材質は透明軟質樹脂シートであれば作成することができる。
【図面の簡単な説明】
【００１０】
【図１】  本考案の爪切り袋の平面図
【図２】  本考案の爪切り袋の断面図
【図３】    本考案の爪切り袋の俯瞰図
【図４】  本考案の爪切り袋使用俯瞰図
【図５】  本考案の爪切り袋平面図の裏は同一の為、裏面図は省略する。
【符号の説明】
【００１１】１  透明軟質樹脂シート
２  熱接着部分
３  開口部分
【図１】
0003160484.tif 000003
【図２】
0003160484.tif 000004
【図３】
0003160484.tif 000005
【図４】
0003160484.tif 000006
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
透明シートを２枚に重ね、八角形状に形成し、その八角形の相対する四面に開口部を設け、残り四面に細長形状の切り込みを入れ、その切り込み部分を熱接着し袋状になった、その開口部分から中へ手の指先、又は足の爪先を差し入れ、片方の手につめきり具を持ち、爪を切り、又は爪切り具に付随するヤスリに持ち換え、爪削りを行う、その際に発生する切り爪や削り粉の散乱を防ぐ、爪切り袋。
【手続補正２】
【補正対象書類名】明細書
【補正対象項目名】００１０
【補正方法】変更
【補正の内容】
【００１０】
【図１】  本考案の爪切り袋の平面図
【図２】  本考案の爪切り袋の断面図
【図３】  本考案の爪切り袋の俯瞰図
【図４】  本考案の爪切り袋の使用俯瞰図
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
透明シートを２枚に重ね、八角形状に形成し、その八角形の相対する四面に開口部を設け、残り四面に細長形状の切込みを入れ、その切り込み部分を熱接着し袋状にし、開口部から中へ指先を挿入可能とした爪切り袋。
(57)【要約】      （修正有）【課題】足裏全体の足汗の不快感や、くつ下やくつのしめりや菌の増殖を防ぐ足汗パッドを提供する。【解決手段】足指の間にフィンのような物があり素足にあて、フィンを足指ではさみくつ下をはく。素足にあてたパットが汗を吸収したら、一日数回新しい物に交換する事で、くつ下やくつをぬらす事なく足裏をいつも清潔に保つ。生理用品のように足の汗を吸収して使い捨て、新しい物と交換する事により足裏、くつ下、くつの中をたえずサラサラに出来る。【選択図】図１
0003160487.tif 000002
【実用新案登録請求の範囲】
【請求項１】
素材は、生理用品（おりものシート、例、サラサーティ）のようなもので、足指の間にフィンのような物があり素足にあて、フィンを足指ではさみくつ下をはく。
素足にあてたパットが汗を吸収したら、一日数回新しい物に交換する事で、くつ下やくつをぬらす事なく足裏をいつもサラサラに保つ。
【考案の詳細な説明】
0003160487.tif 000003
【図１】
0003160487.tif 000004
【図２】
0003160487.tif 000005
【手続補正書】
【提出日】平成22年4月16日(2010.4.16)
【手続補正１】
【補正対象書類名】明細書
【補正対象項目名】全文
【補正方法】変更
【補正の内容】
【考案の詳細な説明】
【技術分野】
【０００１】
本考案は、足裏の不快な汗、くつ下やくつをぬらす汗を防ぐ足汗パットに関する。
【背景技術】
【０００２】
従来の足汗吸収シートには、足半分のはきもの（例えば、特許文献１）の物がある。
【先行技術文献】
【特許文献】
【０００３】
【特許文献１】実用新案登録第３１１４７９２号公報
【考案の概要】
【考案が解決しようとする課題】
【０００４】
従来は足半分の汗しか吸収出来ないが、多汗症の人は、かかとも汗をかき、くつ下をぬらして、不快で不清潔である。
【課題を解決するための手段】
【０００５】
足裏全体の汗による不快感をなくす生理用品のような物とする。生理用品のように、はくのではなく、あてるパットで足指間フィンをはさむようにする。
【考案の効果】
【０００６】
生理用品のように、はくのではなく、あてるパットで足指間フィンをはさみ、くつ下をはくと、パットが汗を吸収し、くつ下をぬらさない。
【図面の簡単な説明】
【０００７】
【図１】本考案の実施形態に係る足汗パットを説明するための図である。
【図２】同上の足汗パットを示す側面図である。
【考案を実施するための形態】
【０００８】
図１に示すような足汗パットについて、生理用品を販売しているメーカーに足汗専用品を作ってもらう。この足汗パットの素材は生理用品（おりものシート、例えば、サラサーティ（登録商標））のようなもので、足指の間にフィン（指間フィン）があり、素足にあて、フィンを足指ではさみ、くつ下をはく。素足に当てたパットが汗を吸収したら、一日数回新しいパットに交換する事で、くつ下やくつをぬらす事なく足裏をいつもサラサラに保つ。
【手続補正２】
【補正対象書類名】実用新案登録請求の範囲
【補正対象項目名】全文
【補正方法】変更
【補正の内容】
【実用新案登録請求の範囲】
【請求項１】
足裏パットに足指ではさむように指間フィンが設けられた足汗パット。
(57)【要約】      （修正有）【課題】照明灯の不具合を監視するモニタを固定する支柱開口部の蓋板構造を提供する。【解決手段】照明灯支柱の開口部の蓋板の構造として、照明灯のランプの不点灯や照明灯の支柱に組み込まれている安定器、自動点滅器、ＭＣＣＢの出力断の異常をＬＥＤの点灯と消灯で監視するようにしたモニタをそのＬＥＤが外側から可視可能に支柱開口部の蓋板に固定してある。そのため、通常、支柱開口部の蓋板をくり抜き、そこにタテに配列した４個のＬＥＤが可視できるようにし、モニタを形成する直方体容器を支柱開口部の蓋板に固定して支柱の空洞内に収納する。ＬＥＤは上下方向に分散して配置され、上から順にランプ用、安定器用、自動点滅器用、ＭＣＣＢ用に設けられてある。【選択図】図２
0003160416.tif 000002
【実用新案登録請求の範囲】
【請求項１】
照明灯のランプの不点灯や照明灯の支柱に組み込まれている安定器、自動点滅器、ＭＣＣＢの出力断の異常をＬＥＤの点灯と消灯で監視するモニタを、照明灯支柱開口部の蓋板が支柱に固定されている状態で、ＬＥＤが外側から可視可能に支柱開口部の蓋板に固定してある開口部蓋板の構造。
【考案の詳細な説明】
【技術分野】
【０００１】
本考案は照明灯の不具合を監視するモニタを固定する支柱開口部の蓋板構造に関する。
【背景技術】
【０００２】
従来から照明灯支柱には蓋付きの開口部があり、保安機器類の管理がなされ、故障部位を確認するのに開口部を開けて調べたり、高所作業車を使用したりして故障の特定に時間がかかり、煩雑な作業がおこなわれるので改善が求められている。特許文献１では、地中に埋め込まれるパイプ状の埋設部材と地上に突出する二段連結パイプによる支柱部材とが分離されていて、支柱部材と埋設部材とが基板を介し蝶番連結により組立てられ、照明器具の補修点検のため支柱部材を根元から蝶番を介し手で倒すことができるよう、支柱部材が可倒式になっているものがあるが、作業敷地に制約があり実用上問題がある。
【先行技術文献】
【特許文献】
【０００３】
【特許文献１】特開昭５３−１９８０
【考案の概要】
【考案が解決しようとする課題】
【０００４】
本考案は従来、照明灯のランプ切れ等の点検が高所作業車などを使用して各部ごとにおこなわれ時間を要し煩雑であったので、この問題を解決して迅速に点検し、故障部位が特定され故障部位の交換ができるようにする。
【課題を解決するための手段】
【０００５】
ここにおいて本考案者は、照明灯のランプの不点灯や照明灯の支柱に組み込まれている安定器、自動点滅器、ＭＣＣＢの出力断の異常をＬＥＤの点灯と消灯で監視するモニタを、照明灯支柱開口部の蓋板が支柱に固定されている状態で、ＬＥＤが外側から可視可能に支柱開口部の蓋板に固定してある開口部蓋板の構造を見出すに至った。
【考案の効果】
【０００６】
本考案により照明灯のランプ切れ等の点検が高所作業車などを使用しなくても故障部位を迅速に特定して故障部位の交換が容易におこなえるので、照明灯の保守点検を迅速低廉におこなうことができる。なお、本考案の照明灯用障害部位監視モニタは既存の照明灯支柱の開口部蓋への取り付けも可能であるから利用しやすい。
【図面の簡単な説明】
【０００７】
【図１】本考案の照明灯支柱における障害部位監視モニタと各点検部の位置を示す慨略図
【図２】本考案の開口部の蓋とモニタのＬＥＤ部を示す写真図
【図３】本考案の実施例によるモニタの固定状態を示す開口部の蓋の構造を示す図
【図４】本考案のモニタにおけるＬＥＤの接続例を示す図
【考案を実施するための形態】
【０００８】
本考案は、照明灯のランプ１の不点灯や、照明灯の支柱に組み込まれている安定器２、自動点滅器３、ＭＣＣＢ４の出力断の異常を、照明灯支柱開口部の蓋に固定したモニタのＬＥＤの点灯と消灯により監視できるようにたものである。
【０００９】
ランプ１の不点灯は最重要な監視事項であり、モニターのＬＥＤで夜間でも検知容易にしてある。安定器２はモニター機器の動作を安定させるための放電灯用の安定器であり、蛍光灯や水銀ランプなどの放電灯はアーク放電による発光を利用しているが、電流が増加し続け、電流が増加しすぎるとランプを破壊してしまうので、このような状態を防ぐため、電流を制御して放電を安定させるように、ランプに直列に接続して使用される装置である。
【００１０】
自動点滅器３は外の明るさを検知して一定以下の暗さになると自らのスイッチをＯＮに切り換えて照明を点灯し、また外が明るくなると自らのスイッチをＯＦＦにさせることによって照明灯を消灯させる。この機能が果せないときが出力断であるから、予め回避しなければならない。
【００１１】
ＭＣＣＢ４は配線用遮断機のことであり、過負荷や短絡などの要因で二次側の回路に異状な電流が流れれたときに電路を開放し、一次側からの電源供給を遮断することにより負荷回路や電線を損傷から回避するために用いる装置である。
【実施例１】
【００１２】
照明灯支柱開口部の蓋板構造の実施例について以下に述べる。本考案に係る照明灯障害部位監視モニタは、所要のタテ長直方体状の箱に収納されており、当該箱は照明灯支柱の目視容易な高さで開口部の蓋に固定されている、直方体状のモニタ機器は、支柱開口部蓋板面内のＬＥＤ表示用開口部分に合わせて蓋に固定されており、ＬＥＤ表示用開口部分には上下方向に４個のＬＥＤが分散して配置されており、支柱開口部蓋の裏面にはモニタを機能させる関連機器を収納して所要厚さをなす箱体が支柱空洞内に適宜突出して固定されている。
【００１３】
開口部蓋の表面側に配置されている４個のＬＥＤは上から順にランプ用ＬＥＤ、安定器用ＬＥＤ、自動点滅器用ＬＥＤ、ＭＣＣＢ用ＬＥＤであり、視認が容易である。ランプ用ＬＥＤはランプが点灯し、電流が１Ａ以上流れている場合、交流クランプセンサの出力により点灯し、安定器用ＬＥＤが接続されていないとこのＬＥＤが点灯しないのでケーブルは１本のみ挟み込む。安定器２からＡＣ２００Ｖ／ＡＣ１００Ｖが出力されている場合、安定器２用ＬＥＤが点灯する。自動点滅器３からＡＣ２００Ｖ／ＡＣ１００Ｖが出力されている場合、自動点滅器用ＬＥＤが点灯する。ＭＣＣＢ４からＡＣ２００Ｖ／ＡＣ１００Ｖが出力されている場合、ＭＣＣＢ用ＬＥＤが点灯する。なお、ＬＥＤの面にスモークのパネルを取り付けるとＬＥＤの点灯がみやすくなる。参考までモニタＬＥＤの実施例による点灯状態を表１に示す。
【００１４】
【表１】
0003160416.tif 000003
【産業上の利用可能性】
【００１５】
本考案により照明灯のランプ切れ等の点検が高所作業車などを不使用でもおこなえるので、本考案のモニタの使用価値が急速に認識され、従来の蓋に追加取り付けも可能なので利用が広まるものとみられる。
【符号の説明】
【００１６】
１  ランプ
２  安定器
３  自動点滅器
４  ＭＣＣＢ
【図１】
0003160416.tif 000004
【図３】
0003160416.tif 000005
【図４】
0003160416.tif 000006
【図２】
0003160416.tif 000007
(57)【要約】      （修正有）【課題】タッチパネル操作用のスタイラスとして利用可能なスタイラス兼用アクセサリーを提供する。【解決手段】本体１にタッチパネルに接触させるための突起３を設け、タッチパネル操作用のスタイラスとして利用できるようにしている。本体１は、装飾を施したアクセサリーの主体になる。本体１に、使用者の首にかけるための紐４、又は、使用者の衣服に取り付けるためのクリップ６を設ける。【選択図】図１
0003160401.tif 000002
【実用新案登録請求の範囲】
【請求項１】
本体（１）にタッチパネル（２）に接触させるための突起（３）を設け、タッチパネル操作用のスタイラスとして利用できるようにしたことを特徴とするスタイラス兼用アクセサリー。
【請求項２】
本体（１）に、使用者の首に掛けるための紐（４）を取り付けた請求項１記載のスタイラス兼用アクセサリー。
【請求項３】
本体（１）に、使用者の衣服に取り付けるためのクリップ（６）を設けた請求項１記載のスタイラス兼用アクセサリー。
【考案の詳細な説明】
【技術分野】
【０００１】
この考案は、使用者の首に掛けたり衣服に取り付けたりして携行するアクセサリーに関するものである。
【背景技術】
【０００２】
携帯型の情報機器やゲーム機には、液晶画面等の表面にタッチパネルを設けたものが増えているが、これらの操作は、主にこれらの機器に付属するペン型のスタイラス（例えば特許文献１参照）を使用して行うものであった。このスタイラスは、機器との着脱操作が面倒であったり、紛失のおそれがあったりして、不便を強いられるものであった。
【０００３】
一方、使用者の首に掛けたり衣服に取り付けたりして携行できるようにしたアクセサリーは従来から周知であるが、これらのアクセサリーは、装飾品として利用されるにとどまっている。
【先行技術文献】
【特許文献】
【０００４】
【特許文献１】実用新案登録第３０８３１０３号公報
【考案の概要】
【考案が解決しようとする課題】
【０００５】
そこで、この考案は、タッチパネル操作用のスタイラスとして利用可能なスタイラス兼用アクセサリーを提供することを課題とする。
【課題を解決するための手段】
【０００６】
前記課題を解決するため、この考案は次のような技術的手段を講じている。
【０００７】
この考案のスタイラス兼用アクセサリーは、本体１にタッチパネル２に接触させるための突起３を設け、タッチパネル操作用のスタイラスとして利用できるようにしている。
【０００８】
本体１に、使用者の首に掛けるための紐４を取り付けたものとすることができる。
【０００９】
また、本体１に、使用者の衣服に取り付けるためのクリップ６を設けたものとすることができる。
【考案の効果】
【００１０】
この考案のスタイラス兼用アクセサリーは、上述のような構成を有しており、本体１に設けた突起３を利用して、情報機器やゲーム機等のタッチパネル２を操作することが可能である。
【００１１】
本体１に、使用者の首に掛けるための紐４を取り付ければ、通常は首から掛けておいて、タッチパネル２の操作が必要になったとき、指で本体１を摘んでタッチパネル２に突起３を押し当てることができるので便利である。
【００１２】
また、本体１に、使用者の衣服に取り付けるためのクリップ６を設けたものとすれば、通常は衣服のポケット等にクリップ６で本体１を取り付けておき、タッチパネル２の操作が必要になったとき、指で本体１を摘んでクリップ６を衣服からはずして、そのままタッチパネル２に突起３を押し当てることができるので便利である。
【図面の簡単な説明】
【００１３】
【図１】この考案の実施形態のスタイラス兼用アクセサリーの斜視図である。
【図２】この考案の実施形態のスタイラス兼用アクセサリーの使用状態を示す説明図である。
【図３】この考案の他の実施形態のスタイラス兼用アクセサリーの斜視図（裏側）である。
【考案を実施するための形態】
【００１４】
以下、この考案の好適な実施形態を、図面を参照して説明する。
【００１５】
このスタイラス兼用アクセサリーは、本体１にタッチパネル２に接触させるための突起３を設け、タッチパネル操作用のスタイラスとして利用できるようにしたものである。
【００１６】
本体１は、適宜の装飾を施したアクセサリーの主体になる部分であり、プラスチック、金属、木材等、適宜の素材からなり、形状や大きさも適宜のものとすることができる。本体１は、使用者が指で摘み易くするため、図示した鍵形状のような、ペン型の棒状部分や、板状の部分を有する形状とすることが望ましい。
【００１７】
突起３は、タッチパネル２に押し付けてもタッチパネル２に傷が生じないようにした塩化ビニル樹脂等の合成樹脂製としている。タッチパネル２には、感圧式、電磁誘導方式等があり、突起３の材質によっては操作に適さない場合があるので、使用対象となるタッチパネル２の方式にあわせて突起３の材質を選択する。
【００１８】
タッチパネル２に対する操作を容易にするため、突起３は、本体１に棒状部分があればその先端部分に設け、本体１に角部があればその角部において突出する方向に設けることが望ましい。本体１を円形にする場合は、その半径方向に突起３が突出するようにするとよい。
【００１９】
また、本体１は、使用者の首に掛けるための紐４を取り付けたものとし、普段は首から掛けておいて、タッチパネル２の操作が必要になったとき、指で本体１を摘んでタッチパネル２に突起３を押し当てることができる。
【００２０】
紐４は、本体１に設けられた通し孔５に通された輪状のものであり、各種繊維からなるものや、金属製のチェーン等とすることができる。前記通し孔５は、使用者が本体１における突起３と通し孔５の間の部分を指で摘んで操作できる程度に、突起３から離れた位置に設けることが望ましい。すなわち、突起３と通し孔５を結ぶ線上に、使用者の指が位置するスペースが確保されるようにするとよい。
【００２１】
紐４の長さは、図２に示したように、首に掛けたときに、使用者が一方の手で機器を持ち、他方の手で本体１を指で摘んでタッチパネル２に突起３を押し当てる操作ができるようにする。
【００２２】
また、本体１は、図３に示したように、使用者の衣服に取り付けるためのクリップ６を設けたものとすることができる。クリップ６は、本体１の裏側の面に設けており、通常は衣服のポケット等にクリップ６で本体１を取り付けておき、タッチパネル２の操作が必要になったとき、指で本体１を摘んでクリップ６を衣服からはずして、そのままタッチパネル２に突起３を押し当てることができる。
【００２３】
以上がこの考案の好適な実施形態であるが、この考案は上述の実施形態の構成に限定されるものではなく、形状、寸法、材質等を適宜変更して実施することができる。
【符号の説明】
【００２４】
１  本体
２  タッチパネル
３  突起
４  紐
６  クリップ
【図１】
0003160401.tif 000003
【図２】
0003160401.tif 000004
【図３】
0003160401.tif 000005
(57)【要約】      （修正有）【課題】真空グレージング内に配置し、良好な支持作用、良好な断熱及び容易な排気を実現するピラーを提供する。【解決手段】ピラーはリング形状又は柱形状であり、前記ピラーの厚さ以下の深さを有する少なくとも１つの開放溝が、前記ピラーの上面及び／又は下面に形成されている。前記ピラーは、金属材料、例えばステンレス鋼、又は、硬度が十分に高いその他の金属若しくは合金、或いは、非金属材料、例えばセラミック又は特殊ガラスからつくられることが可能である。【選択図】図１
0003160269.tif 000002
【実用新案登録請求の範囲】
【請求項１】
真空グレージング内に配置されるピラーであって、リング形状又は柱形状であり、前記ピラーの厚さ以下の深さを有する少なくとも１つの開放溝が前記ピラーの上面及び／又は下面に形成されていることを特徴とするピラー。
【考案の詳細な説明】
【技術分野】
【０００１】
本考案は、真空グレージング内に配置される、新規の構造を有するピラー（支柱）に関する。
【背景技術】
【０００２】
真空グレージングの基本構造は、ほぼ同一の寸法を有する２枚の板ガラスを互いに対向するように配置し、これらの板ガラスを、真空層を形成するように密封及び真空排気(vacuum pumping)することにより形成されることは公知である。これにより、断熱性及び遮音性といった物理的性質が実現され、これが、建築設備における真空グレージングの使用の可能性を幅広くする。これらの２枚のガラス板の間に配置されたピラーの列は、大きい圧力に耐える。従来技術に用いられている真空グレージング内に配置されるピラーの構造は、円柱形状、円形のリング形状、卵形状、ドラム形状、Ｃ字形状、十字形状などである。円柱状のピラー及び円形のリング形状のピラーは、以上に例示したピラーの中で、より一般的である。しかし、これらの２つのピラーの構造には、特に、中国特許出願第９５１０８２２８．０号（この出願の発明者は本考案の出願人でもある）に関して欠点がある。円柱状のピラーは透明度が低く、ガラスと接触する面積が大きく、且つ、熱伝導率が高い。さらに、ピラーに加えられる力が、主に外周に集中するため、中央部が熱を伝導し、且つ、わずかな圧力しか支持しない。さらに、真空排気後にもピラーの上面及び下面に、まだ気体が残留し、この残留気体は排出されることができない。円形のリング形状のピラーは、円柱状のピラーと比較して、より改良されている。円形のリング形状のピラーにおいては、わずかな圧力を支持していた中央部は除去され、それにより材料が節約され、且つ、熱伝導が低減される。しかし、中央部の残留気体は、やはり排出されることができず、この気体が真空グレージングの真空度を低下させる。Ｃ字形状のピラーは、円形のリング形状のピラーを基盤とした構造に開口部を有する。この開口部は、内部の残留気体の排出に関する問題を解決するが、Ｃ字形状のピラーの製造を困難にしている。なぜなら、開口部の寸法がピラーの厚みを超えた場合、Ｃ字形状のピラーは互いに引っ掛かることになり、これがピラーの配置を困難にするからである。
【考案の概要】
【考案が解決しようとする課題】
【０００３】
本考案の目的は、上記の問題を解決することができる新規の構造を有する、真空グレージング内に配置されるピラーを提供することにある。
【課題を解決するための手段】
【０００４】
本考案の真空グレージング内に配置されるピラーは、リング形状又は柱形状であり、前記ピラーの厚さ以下の深さを有する少なくとも１つの開放溝が、前記ピラーの上面及び／又は下面に形成されていることを特徴とする。前記ピラーは、金属材料、例えばステンレス鋼、又は、硬度が十分に高いその他の金属若しくは合金、或いは、非金属材料、例えばセラミック又は特殊ガラスからつくられることが可能である。
【考案の効果】
【０００５】
このように形成された本考案の真空グレージングのピラーは、良好な支持作用を有すると同時に、より良好な断熱及び容易な排気を実現するという有利な技術的効果を有する。また、本考案のピラーを製造することも、真空グレージングの製造中に本考案のピラーを配置することも容易である。
【図面の簡単な説明】
【０００６】
【図１】本考案の真空グレージング内に配置されるピラーの例を示す図である。
【考案を実施するための形態】
【０００７】
最初に、本考案の精神は、円形を用いて例示されるが、本考案の真空グレージング内に配置されるピラーは、その他の任意の形状（例えば、正多角形、楕円形など）を用いることができることに留意されたい。本考案の保護範囲は、添付の請求の範囲により定義される。
【０００８】
図１に示されているように、（ａ）〜（ｄ）における円形のリング形状ピラーの単一面上の開放溝の数は、少なくとも１つであるが、２つ以上でも実質的に機能する。円柱状のピラー（すなわち、円形の断面を有する柱形状のピラー）の１つの面に、少なくとも１つの開放溝が設けられ、上面上の開放溝は下面上の開放溝に対して平行であってよく、又は下面上の開放溝と交差してもよい（図１を参照）。また、１つの面上に複数の開放溝が対称に配置されてもよい。開放溝の数は限定されないが、上面と下面の両方に開放溝が設けられる場合には、上面の開放溝の数が下面の開放溝の数と同一であることが好ましい。より多数の開放溝が存在すれば、理論上、上側の板ガラス及び下側の板ガラスと接触するピラーの面積がより小さくなり、断熱効果がより高められるであろう。しかし、開放溝の数は多すぎてはならない。何故なら、ピラーと上側板ガラス及び下側板ガラスとの間に点接触が生じる可能性があり、これが不都合な破断応力を生じることがあるからである。
【０００９】
円柱状ピラーの１つの面にのみ開放溝が存在し得ることは明らかであろうが、この円柱状ピラーの面には複数の開放溝を設けることが可能であり、開放溝の数は限定されない。好ましくは、上面の開放溝の数及び位置は、下面の開放溝の数及び位置に対応する。
【００１０】
円柱状ピラーの外周の形状、並びにリング形状のピラーの内周及び外周の形状は、あらゆる種類の多角形であってよく、また、これらの周面上に配置される開放溝の数は限定されない。
【００１１】
本考案のピラーは、金属材料、例えばステンレス鋼、又は、硬度が十分に高いその他の金属若しくは合金、或いは、非金属材料、例えばセラミック又は特殊ガラスからつくられることが可能である。
【００１２】
本考案の技術的効果は以下のように要約され得る。
【００１３】
第１に、力に関して、Ｃ字形状のピラーは不均一な力に耐えるが、円形のリング形状のピラーは、外周に加えられる均一な力に耐える。第２に、熱伝導に関して、円形のリング形状のピラーに用いられる材料は、より少なく、それにより、円形のリング形状のピラーにより伝導される熱は低減される。第３に、円形のリング形状のピラーの上面上及び下面上の開放溝の機能は、内部気体を排出させるための空気排出路の機能と同等である。円柱状ピラーの面上の開放溝も、前記面の気体を排出するように機能する。
【図１】
0003160269.tif 000003
(57)【要約】      （修正有）【課題】自転車乗車時やスポーツ時、日常生活において、収納性・携行性衛生面において優れた頭部保護用具の提供する。【解決手段】頭部保護用具本体の素材は合成ゴムスポンジ発泡体で、表面は面ファスナー素材で構成され、側面にボタンが設けられ、ボタンを介してベルトが取り外し可能につけられている。【選択図】図１
0003160299.tif 000002
【実用新案登録請求の範囲】
【請求項１】
頭部保護用具▲１▼▲２▼本体において、素材が天然または、合成ゴムスポンジ発泡体等、緩衝材で構成されコンパクトに携行・収納が可能な頭部保護用具。
【請求項２】
▲４▼がボタンで取り外しが可能な為、▲１▼▲２▼本体をリバーシブルで使用する事が出来る頭部保護用具。
【請求項３】
本体の片面をベルクロ素材（凹）とする事で、ベルクロ素材（凸）を装着した日差し等を取り付ける事が出来る頭部保護用具。
【考案の詳細な説明】
【技術分野】
【０００１】  本考案は、おもに自転車乗車時やスポーツ時、日常生活において、頭部の保護を目的とした頭部保護用具である。
【背景技術】
【０００２】  現在、上記背景におけるハードシェルタイプの頭部保護用具は、収納性・携行性・衛生面において優れた物が無かった。
【考案の概要】
【考案が解決しようとする課題】
【０００３】  ハードシェルタイプのヘルメットは、収納性や携行性や衛生面等で不便である。
従って、頭部保護用具の素材を天然または、合成ゴムスポンジ発泡体等、緩衝材にすることにより、前述の問題を解決しようとするものである。
【課題を解決するための手段】
【０００４】  本考案は、頭部保護用具の素材を天然または、合成ゴムスポンジ発泡体等、緩衝材にすることにより、コンパクトに携行・収納する事が可能になり、衛生面でも問題点を解決する事が出来る。
【考案の効果】
【０００５】  上述の様に、本考案の頭部保護用具は、コンパクトに携行・収納する事が可能になる事は勿論、素材の組み合わせによって、視認性やファッション性を高める事が出来、素材の持つ収縮性により、帽子のインナーまたはアウターとして使用する事も出来る。
また、ベルクロ素材を使用する事により、本体への小物（日差し等）の取り付けも可能となる。
【図面の簡単な説明】
【０００６】
【図１】本考案のリバーシブル頭部保護用具の実施例を示す図面である。
【考案を実施するための形態】
【０００７】  ▲１▼トップバー、▲２▼サイドバー本体は、天然または、合成ゴムスポンジ発泡体等、緩衝材により形成された頭部保護用具本体。▲３▼は、全体のフィット感を高め、固定する為のベルトである。▲４▼のボタンで取り外し式とする事で、本体の裏表の２面を使用する事が出来る構造とする。
【符号の説明】
【０００８】  ▲１▼  保護用具本体
▲２▼      〃
▲３▼  固定用ベルト
▲４▼  取り外し用ボタン
▲５▼  止め具
▲６▼  取り外し式日差し
【図１】
0003160299.tif 000003
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
頭部保護用具本体の、素材が合成ゴムスポンジ発泡体、表面が面ファスナー素材で構成された頭部保護用具。
【請求項２】
頭部保護用具本体の側面に設けられたボタンを介して、取り外し可能に固定されたベルトを有する請求項１記載の頭部保護用具。
【請求項３】
頭部保護用具本体の前記面ファスナー素材に取り付ける為の面ファスナー素材を有する日差し、取り付けられて成る請求項１記載の頭部保護用具。
(57)【要約】      （修正有）【課題】簡単に移動でき、短時間で、簡単に、安全に、片手でも脱水が可能な電池式小型回転脱水装置を提供する。【解決手段】本体４の内側上部に被乾燥物を収納する脱水籠２を取り付けこの回りに脱水された水を受ける受水容器３を設け、下部のモーター１４と上部の脱水籠２とをモーター軸連結金具１７で連結し脱水籠２を回転させる為のモーター１４の電力として充電蓄電池１６を利用したことを特徴とする。【選択図】図１
0003160294.tif 000002
【実用新案登録請求の範囲】
【請求項１】
装置本体内の上部に被乾燥物を収納する脱水籠と脱水した水を受ける容器とを設け容器の中の水は容器の下に取り付けた排水チューブから排水される。本体の下部に脱水籠を回転させる為に電池を利用して動かすことを特徴とする小型回転式脱水装置である。
【考案の詳細な説明】
【技術分野】
【０００１】  電池を利用しての小型脱水装置だからどの位の回転速度や時間で希望の脱水が出来るか、又電源の無い場所，水がかかる恐れがある場所等どんな所にでも簡単に移動して利用することが出来るか、が課題技術となったものである。
【背景技術】
【０００２】従来の回転脱水装置は大きくて、必要な場所に簡単に移動するのが困難でしかも動力には電気を必要とする為に、電源のない場所では利用出来ない、又水がかかる恐れのある場所にも危険をともなうので設置出来ないし極少い被乾燥物を脱水するのには不向きだった。
【考案の開示】
【考案が解決しようとする課題】
【０００３】極少量の被乾燥物を短時間に手で絞った以上の脱水効果があること。脱水装置を小型化することで必要な場所に簡単に移動することが出来ること。どんな場所で利用しても人体には悪影響を与えないこと。簡単に又片手でも使用できること。安全に使用できるように安全装置があること。装置に水がかかるようなことがあっても安全に作動することが出来ること。電源のない所でも使用する事が出来ること。
【課題を解決するための手段】
【０００４】上記の目的を達成する為の発明は、動力を電池にすることで小型化出来るので電源が無い場所やその他必要な場所に簡単に移動できる。電池なので低電圧の為人体に悪影響を与えない。動力部は防水する事で水がかかる場所でも安全に片手でも使用できる。使用するときは蓋を閉めてスイッチをいれないと回転しない安全装置付である。
【考案の効果】
【０００５】当考案を利用すると手が不自由な場合などにも簡単に利用したい場所に移動して安全に楽に少ない被乾燥物を脱水することが出来る。
【考案を実施するための最良の形態】
【０００６】少ない被乾燥物を脱水したいので水がかかる恐れのある場所や屋外等で被乾燥物のある場所に簡単に移動して利用する。
電池式の小型回転脱水装置なので電源のない所でも利用することができる。
【実施例】
【０００７】図１において  ４は装置本体で２は脱水籠でその中に被乾燥物をいれる。それを覆う３受水容器がある。下部に１６充電蓄電池を取り付け６受水容器支持金具で１６充電蓄電池及び３受水容器を固定する。１の蓋をして８のスイッチをいれると２の脱水籠が回転脱水する。本体の振動を少なくする為に１８防振ゴム足をつける。３の受水容器にたまる水は１５の排水チューブで流す。
【産業上の利用可能性】
【０００８】タオル等のような小物の被乾燥物を絞ることが困難な人が楽に、片手でも脱水出来る。
屋外等の電源がない所で小物の被乾燥物を絞った以上の脱水が期待できる。
【図面の簡単な説明】
【０００９】
【図１】出願装置の内部構成を示した斜視図である。
【図２】出願装置の断面図である。
【符号の説明】
【００１０】１    蓋
２    脱水籠
３    受水容器
４    本体
５    振動吸収支柱
６    受水容器支持金具
７    受水容器モーター連結金具
８    操作スイッチ
９    蓋開閉蝶番
１０  蓋開閉検出スイッチ
１１  防水ゴムカバー
１２  充電用電気接続口
１３  振動検出及びモーター制御回路容器
１４  モーター
１５  排水チューブ
１６  充電蓄電池
１７  モーター軸連結金具
１８  防振ゴム足
【図１】
0003160294.tif 000003
【図２】
0003160294.tif 000004
【手続補正書】
【提出日】平成22年1月6日(2010.1.6)
【手続補正１】
【補正対象書類名】実用新案登録請求の範囲
【補正対象項目名】請求項１
【補正方法】変更
【補正の内容】
【請求項１】
本体４の内側上部に被乾燥物を収納する脱水籠２を取り付けこの回りに脱水された水を受ける受水容器３を設ける。下部のモーター１４と上部の脱水籠２とをモーター軸連結金具１７で連結し脱水籠２を回転させる為のモーター１４の電力として充電蓄電池１６を利用したことを特徴とする電池式小型回転脱水装置。
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
「本体（４）の内側上部に被乾燥物を収納する脱水籠（２）を取り付けこの回りに脱水された水を受ける受水容器（３）を設け、下部のモーター（１４）と上部の脱水籠（２）とをモーター軸連結金具（１７）で連結し脱水籠（２）を回転させる為のモーター（１４）の電力として充電蓄電池（１６）を利用したことを特徴とする電池式小型回転脱水装置。」
(57)【要約】      （修正有）【課題】考古学の出土遺物の６面展開図を作図する場合に下絵として用いる写真の、正確に９０度ずつ回転した各展開面の撮影をするために、遺物を安定して固定し、且つ、正確に９０度ずつ回転できる遺物のホルダを提供する。【解決手段】遺物ホルダは、一対の矩形の端面部材があり、端面部材は４本の固定ボルトで相互に固定され、固定板を保持する孔を有する。【選択図】図１
0003160300.tif 000002
【実用新案登録請求の範囲】
【請求項１】
複雑な異形状の考古学の遺物を、安定した姿勢に固定し、且つ、遺物の正面、上面、背面、下面、及び、左右側面を写真撮影するため、正確に９０度ずつ回転できる遺物ホルダ。
【考案の詳細な説明】
【技術分野】
【０００１】      本考案は、考古学の出土遺物の写真撮影に用いる遺物ホルダの構造に関するものである。
【背景技術】
【０００２】  考古学の発掘で出土する遺物は、三面図法による６面展開図かその一部の展開図により作図されるのが一般的である。すなわち、遺物の特徴が最も良く現れる姿勢に遺物を設置し、その姿勢における正面図、上面図、背面図、下面図、左右の側面図を作図する。この場合、良く使われる方法として写真測量があり、各面の写真を撮影して、これらの写真を下絵にして、形状をなぞり描画する。
一方、遺物は、複雑な異形状で、安定して設置する平面を持たない。このため、展開図の各面を写真撮影する場合に、例えば、上面を撮影した後、下面を撮影するためには正確に１８０度回転して再設置する必要があるが、いろいろな保持物を下側に置いて支え、正確な位置の再現を試みるが、正確な設置は不可能である。現状は、このような状態で写真撮影されており、各展開面の整合性が取れない状況にある。
【考案の開示】
【考案が解決しようとする課題】
【０００３】  遺物の６面展開図の各面を容易に、精度良く撮影するため、複雑な異形状を持つ遺物を簡単に保持し、保持した遺物を０度（正面図）の位置から、９０度（上面図）、１８０度（背面図）、２７０度（下面図）の位置に簡単に回転できるようにする。
【課題を解決するための手段】
【０００４】遺物の姿勢を保持する機能と、９０度、１８０度、２７０度の位置に回転できる機能を併せ持つ遺物ホルダ。
【考案を実施するための最良の形態】
【０００５】  遺物ホルダは、両側に矩形で面形状の端面部材があり、端面部材は４本の固定ボルトで相互に固定されている。又、本端面部材には、中央に円形の孔があいており、本孔に円形で面形状の遺物固定板が組み込まれる。遺物固定板は、遺物を固定することができる。
本遺物ホルダに遺物を固定保持することにより、遺物は安定した姿勢に保持され、かつ、矩形の端面部材により、９０度、１８０度、２７０度に正確に回転でき、更に、端面部材に平行な左右側面をカメラ方向に向けることができる。【０００６】  端面部材は、四隅にボルトを通す孔もしくはネジ孔があり、両側に端面部材を配置し、ボルトで固定する。端面部材の中央には、遺物固定板を取り付ける円形の孔が開いている。遺物固定板の形状も円形であり、遺物固定板は、端面部材の中で、自由に回転できる。【０００７】  遺物の両端に近い２カ所を保持するための２枚の遺物固定板を作成する。遺物固定板は、発泡スチロールや厚紙など柔らかい材料でできており、遺物を挟み込む遺物断面形状を容易に空けることができる。断面形状を更に簡単に空けるため、本遺物固定板を２分割し、遺物断面を空けても、同様に遺物を固定することができる。遺物の断面形状は、設置したい姿勢をあらかじめ設定し、その姿勢における２カ所の保持場所の断面形状を遺物固定板に空ける。【０００８】  遺物の固定方法は、まず、２枚の遺物固定板に遺物を挟み込み、次に、遺物固定板を端面部材の孔に挿入する。遺物の姿勢は、端面部材の中で、遺物固定板を回転させることにより、自由に調整できる。
【実施例】  考古学の遺物実測の精度や効率が向上する。例えば、木の枝で作られた曲がったくいを実測する場合、本遺物ホルダに固定することにより、簡便に、遺物の６面を精度良く撮影できる。
【図面の簡単な説明】
【図１】は、遺物ホルダの正面図である。
【図２】は、遺物ホルダの側面図である。
【図３】は、端面部材の正面図である。
【図４】は、端面部材のＺＺ’断面図である。
【図５】は、遺物固定板の正面図である。
【図６】は、遺物固定板の側面図である。
【図７】は、遺物固定板の回転前位置例である。
【図８】は、遺物固定板の回転後位置例である。
【符号の説明】１：端面部材
２：遺物固定板
３：遺物
４：ボルト
５：ナット
６：遺物断面形状
７：分割面
８：回転前の遺物固定板
９：回転後の遺物固定板
【図１】
0003160300.tif 000003
【図２】
0003160300.tif 000004
【図３】
0003160300.tif 000005
【図４】
0003160300.tif 000006
【図５】
0003160300.tif 000007
【図６】
0003160300.tif 000008
【図７】
0003160300.tif 000009
【図８】
0003160300.tif 000010
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
考古学の遺物などの写真撮影に用いるホルダにおいて、一対の矩形の端面部材を有し、該端面部材が４本の固定ボルトで相互に固定されており、該端面部材には、遺物などを固定するための固定板を保持する孔を有し、該固定板に遺物などを保持した状態で、ホルダの位置を変えることにより、正面、上面、背面，下面の展開写真が撮影できることを特徴とする写真撮影用ホルダ
(57)【要約】      （修正有）【課題】いろいろな材料を具にできるサンドウィッチ型おにぎりを提供する。【解決手段】薄焼き卵で包んだ具材をごはんではさみ、さらに外側の三面を薄焼き卵で包む。【選択図】図３
0003160291.tif 000002
【実用新案登録請求の範囲】
【請求項１】
薄焼き卵で具を包むサンドイッチ形のおにぎり
〔付記〕
安心、安全に作ること。
【考案の詳細な説明】
【技術分野】
【０００１】  本考案は、具を薄焼卵で包むのでいろいろな具にできること、サンドウィッチ型にするので、外側も薄焼卵で、下面を除く側面が見えるようにして、包みます。
【背景技術】
【０００２】  おにぎりの具は、今まで使えないものがあった。それ等の幾つかを使いたい。
【先行技術文献】
【特許文献】
【０００３】
【特許文献】
【非特許文献】
【０００４】
【非特許文献１】
【考案の概要】
【考案が解決しようとする課題】
【０００５】  皆が大好きな今までおにぎりの具にできなかったもの和風（親子煮・他人煮・すき焼等）洋風（鶏やえび等のホワイトソースあえ等）、中華（えびちりソースあえ、チンジャオロースー等）、朝鮮（ビビンバ等）、その他を具にできること。炭水化物（主食のごはん）・野菜・たんぱく質等も、食事の１品としてのおにぎりを充実させたい。
【課題を解決するための手段】
【０００６】  汁を含む具は、とろみをつけて薄焼き卵で包む。
汁気をとばして薄焼き卵で包む（五目煮等）。
サンドイッチ型にして、ご飯・具・ご飯の周囲を薄焼卵で（下以外の側面は見える）包む。
【考案の効果】
【０００７】  おいしく具を包めます。１食分の必要な栄養素を幾つも含むようにできて、楽しいです。
【図面の簡単な説明】
【０００８】
【図１】  側面図
【図２】  上から見た図（図１を）丸型、三角型
【図３】  斜めから見た図
【考案を実施するための形態】
【０００９】  具を作る。薄焼き卵を作る。円柱形の容器に包む大きさのラップを敷き、ご飯１／２を入れ、その上に薄焼き卵をのせ具を包み、その上にご飯１／２をのせ、おにぎりにする。（塩をまぶして）薄焼き卵で包み、（見える側面に、ごま、しその実等をまぶして）ラップで包む。
【実施例】
【００１０】  出来あがったおにぎりを、ラップで包んで、温めたり、冷凍したりしている。
食べながら、ラップをはがしていくので、薄焼き卵の油分が手につかないし、ご飯もこぼれない。【００１１】  和風の場合、白飯の側面にまぶすごま・しその実・他で、中の具がわかる印にしたり、混ぜご飯にもする。
洋風・中華風・朝鮮風等、スープ・香辛料・調味料で、ご飯に味をつける。油分は加えない。【００１２】  材料の量に応じて、大（Ｌ）・中（Ｍ）・小（Ｓ）を作る。
卵は、おにぎり１コに、卵何コ又は、何グラムを使用したかを表示する。
（食事制限のある人達も、一般的にも、健康上安心で良いから。）
ご飯の量、肉・魚介の量、野菜の量や種類、総カロリーを表示する。
【産業上の利用可能性】
【００１３】（公序良俗違反につき、不掲載）
【符号の説明】
【００１４】１    ご飯
２    薄焼き卵で包んだ具
３    上から見た丸形おにぎり
４    上から見た三角形おにぎり
５    薄焼き卵
６    ご飯
７    薄焼き卵で包んだ具
８    ごま、又はしその実、その他の中身（具）の印、又は、好みのもの、又は無し
【図１】
0003160291.tif 000003
【図２】
0003160291.tif 000004
【図３】
0003160291.tif 000005
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
本案は、薄焼き卵で包んだ具材をご飯ではさんだサンドウィッチ型のおにぎりであり、さらに、その外側の３面（丸又は三角形の２面と底面）を、１枚の薄焼き卵で包むおにぎりです。
（付記１  安心安全なおにぎりを製ること。安全な作業にすること。）（これは契約時に必要）
【手続補正２】
【補正対象書類名】明細書
【補正対象項目名】００１３
【補正方法】変更
【補正の内容】
【００１３】（公序良俗違反につき、不掲載）
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
本案は、薄焼き卵で包んだ具材を、ご飯ではさんだサンドウィッチ型で、さらにその外側の３面を１枚の薄焼き卵で包む、おにぎり。
【手続補正２】
【補正対象書類名】明細書
【補正対象項目名】００１３
【補正方法】変更
【補正の内容】
【００１３】  安全な衛生管理で、製造販売する。
(57)【要約】      （修正有）【課題】メビウスの十文字帯を形成できるシートの構造を提供する。【解決手段】メビウス帯の特質は表裏の区別がないこと、十文字帯においては環と環が交差することが加わる。表裏の区別は二層にして、表としても裏としても対応できるようにする。交差は下から相手の環に入る一層と、上から相手の環より出る一層で対応して、シート構造にする。【選択図】図４
0003160297.tif 000002
【実用新案登録請求の範囲】
【請求項１】
メビウスの十文字帯の特質を表裏と交差部に分け、二層は表裏に対応し一層は交差部に対応する構造にしたシート。
【請求項２】
シート構造にすることによって環の数をふやしたシート。
【考案の詳細な説明】
【技術分野】
【００１】メビウスの帯のうち、環と環が交差する十文字帯をシートにしたものです。
【背景技術】
【００２】メビウスの帯の特質を抽出してシートにしたものが見当たらない。
【考案の概要】
【考案が解決しようとする課題】
【００３】メビウスの帯は表裏の区別がなく、十文字帯に至っては、さらに交差までしているので不可思議の部類に入ってしまうので、不可思議で無い物にして、シートにすること。
【課題を解決するための手段】
【００４】メビウスの帯が不可思議の部類に入ってしまうのは、立体に起因するので、折り紙という手段で平面にする、十文字帯の場合、上下は右回り左右は左回りに接合すると交差することですが、右回りは右側が上、左回りは左が上ということで、図に沿って説明すれば、図１に示すように四つのＬ字の帯に分解し、右に回すのは１を２の上に乗せ、１と３，２と４を接合し、左に回すのは▲１▼を▲４▼の上に乗せ、▲１▼と▲３▼、▲４▼と▲２▼を接合し、第一象限と第三象限の帯、第二象限と第４象限の帯は接合することになり、交差する環になる、交差した環と環を折り紙の手法で平らにして図２のようにします、そして形を整えて図３のようにします、図３はシートの構造体になっているので、環と環は図４のように交差することになります、メビウスの帯の特質は表裏の区別がないことと、十文字帯の場合交差する区間だけ表裏が特定されるという特質があります、これを構造にすると、特定区間は一層、表裏の区別のない区間は二層にして表にも裏にもなる構造にします、図４の一層イ、は相手環の下から入っている層、一層ハ、は相手環の上に抜ける層、ニ層ロ、は表にも裏にも対応できる層です。
【考案の効果】
【００５】シート構造にすることによって、環の数を増やすことも可能なので大きめなシートも作ることが可能になり、スクリーン印刷、箔押しができるので、宣材としても使える。
【図面の簡単な説明】
【００６】
【図１】  十文字帯を四つに分解した平面図。
【図２】  折り紙手段で平にした平面図。
【図３】  形を整え、シートにした平面図。
【図４】  二層、一層を表した平面図。
【図５】  二層、一層を表す側面図。
【図６】  二つの環が交差している様子の図。
【符号の説明】
【００７】１、▲１▼、  第一象限のＬ字帯
２、▲２▼、  第二象限のＬ字帯
３、▲３▼、  第三象限のＬ字帯
４、▲４▼、  第四象限のＬ字帯
イ、          一層
ロ、          二層
ハ、          一層
ニ、          一層
ホ、          二層
ヘ、          一層
ト、          二層
0003160297.tif 000003
【手続補正書】
【提出日】平成22年1月22日(2010.1.22)
【手続補正１】
【補正対象書類名】実用新案登録請求の範囲
【補正対象項目名】全文
【補正方法】変更
【補正の内容】
【実用新案登録請求の範囲】
【請求項１】
メビウスの十文字帯を、天地の天を右回転、左右の右を左回転で、それぞれ接合し、帯の中心に沿って切り分け、ふくらんで交差した環を、折り紙の技法で平にしてシートにしたもの。
【請求項２】
メビウスの十文字帯から、環と環が交差する事と、シート化できる事を特質として抽出し、シートの形を整えたり、環の数を増やしたりしもので、メビウスの十文字帯を特徴とする請求項１記載のシート。
【手続補正２】
【補正対象書類名】図面
【補正対象項目名】全図
【補正方法】追加
【補正の内容】
【図１】
0003160297.tif 000004
【図２】
0003160297.tif 000005
【図３】
0003160297.tif 000006
【図４】
0003160297.tif 000007
【図５】
0003160297.tif 000008
【図６】
0003160297.tif 000009
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
帯状の環同士を交差させて鎖構造にし、交差部、接合部が二層になっているので、他の部分には、厚みを合わせる為の一層を貼合して、シートにしたもの。
【請求項２】
シートの大小に応じて環の数を増減した、鎖構造を特徴とする請求項１記載のシート。